(57)【要約】      （修正有）【課題】男性が立った状態で小便をしても跳ね返りを効果的に防止することができ、しかも座った状態での使用感も損なうことのない洋風便器を提供する。【解決手段】便座１０と、便座１０が載置され、上方に開口２１が設けられた便器本体２０とを具備する。便器本体２０は、その下方に、開口２１よりも小径で且つ開口２１における使用者が便座に着座した際に使用者の背面側に位置する基端部２２側に位置し、貯水可能であり、汚物を一時的に収容すると共に水流と共に汚物を廃棄処理できるように形成されている貯水部を具備し、便器本体２０の便器流水面２４には、貯水部に隣接して、凹部と、凹部の底部に形成され、凹部を複数の小凹部に区分する一つの凸部とからなる小便受け部２６が設けられている。ここで小便受け部２６は便器流水面２４における貯水部から先端部２３側にかけて形成されている。【選択図】図１
2014152525.tif 000002
【特許請求の範囲】
【請求項１】
便座と、
該便座が載置され、上方に開口が設けられた便器本体とを具備し、
該便器本体は、その下方に、該開口よりも小径で且つ該開口における使用者が便座に着座した際に使用者の背面側に位置する基端部側に位置し、貯水可能であり、汚物を一時的に収容すると共に水流と共に汚物を廃棄処理できるように形成されている貯水部を具備する洋風便器において、
上記便器本体には、上記貯水部に隣接して、凹部と、該凹部の底部に形成され、該凹部を複数の小凹部に区分する少なくとも一つの凸部とからなる小便受け部が設けられていることを特徴とする洋風便器。
【請求項２】
上記小便受け部は、上記開口の先端部側から基端部側にかけて、該先端部側を上方とし且つ該基端部側を下方とする勾配を持つように形成されていることを特徴とする請求項１記載の洋風便器。
【発明の詳細な説明】
【技術分野】
【０００１】
本発明は、男性が立った状態で小便をする際の尿の跳ね返りを少なくした洋風便器に関する。
【背景技術】
【０００２】
洋風便器は椅子に腰かけたのと同様の状態で排便行為を行えるため、現在では一般家庭においてもトイレの便器として主流となっている。設置スペースが十分にある場合には、男性用トイレにおいては小便用の便器を設置した上で大便用として洋風便器を設置することが多いが、家庭など設置スペースが十分にない場合には洋風便器１台で男性用及び女性用並びに小便用及び大便用の全てを賄うことが多い。
このような場合、男性が小便をする際には洋風便器に腰かけることなく、その前に立った状態で用を足すことが多いが、そのように便器の前に立ったまま小便をする事により小便が便器外へ飛び散りトイレの床や壁まで飛散し汚れの原因となる、不衛生であるという問題があった。このため、特に家庭においてトイレの掃除の手間が増えてしまうという問題があった。
【０００３】
そのため、洋風便器における小便時の尿の跳ね返りを防止するための提案は種々されており、たとえば特許文献１や２等がある。
特に、特許文献２には、ほぼ中央部位に，滑らかな双曲面を凹形円錐状に形成し，底部に常に水位を一定に保つようにした、給排水機能を持つ水溜めを構成する水洗式の洋風便器に於いて、その双曲面凹形円錐状水溜めの形成面に，鋭利な形状をした突起を設けて、水の跳ね返りを防止した洋風便器が提案されている。
また、本発明者は以前に男性用小便器における尿の跳ね返りを防止するために特許文献３において、小便器の幅方向ほぼ中央部分に上下方向に延びる突状部を設けてなる小便器の提案を行っている。
【先行技術文献】
【特許文献】
【０００４】
【特許文献１】実開昭61-125576号公報
【０００５】
【特許文献２】特開平03-140528号公報
【０００６】
【特許文献３】特開2010-047929号公報
【発明の概要】
【発明が解決しようとする課題】
【０００７】
しかしながら、特許文献１における提案は跳ね返り防止効果の点において不十分であり、特許文献２にかかる提案では突起が使用時における使用者の肌にあたる可能性があり使用感の上で問題がある他、跳ね返りの防止効果の点においても突起にあたった尿が便器の淵を超えて便器の外に跳ね返ってしまうことがあり、要望されている程度に良好な効果が得られていない。
また、特許文献３にかかる提案は小便器に関するものであり、洋風便器における課題を解消するものではなかった。
要するに、従来提案されている洋風便器では男性が小便をする際の小便の跳ね返りを十分に防止することができず、男性が立った状態で小便をしても跳ね返りを効果的に防止することができる洋風便器の開発が要望されているのが現状である。
【０００８】
したがって、本発明の目的は、男性が立った状態で小便をしても跳ね返りを効果的に防止することができ、しかも座った状態での使用感も損なうことのない洋風便器を提供することにある。
【課題を解決するための手段】
【０００９】
本発明者は上記課題を解消すべく鋭意検討した結果、洋風便器の貯水部分の近くに凹部を設けるとある程度尿の跳ね返りを防止し得ることを知見し、さらに研究を重ねた結果本発明を完成するに至った。
すなわち、本発明は
便座と、
該便座が載置され、上方に開口が設けられた便器本体とを具備し、
該便器本体は、その下方に、該開口よりも小径で且つ該開口における使用者が便座に着座した際に使用者の背面側に位置する基端部側に位置し、貯水可能であり、汚物を一時的に収容すると共に水流と共に汚物を廃棄処理できるように形成されている貯水部を具備する洋風便器において、
上記便器本体には、上記貯水部に隣接して、凹部と、該凹部の底部に形成され、該凹部を複数の小凹部に区分する少なくとも一つの凸部とからなる小便受け部が設けられていることを特徴とする洋風便器を提供するものである。
また、本発明は、上記小便受け部は、上記開口の先端部側から基端部側にかけて、該先端部側を上方とし且つ該基端部側を下方とする勾配を持つように形成されていることを特徴とする１記載の洋風便器を提供するものである。
【発明の効果】
【００１０】
本発明の洋風便器は、男性が立った状態で小便をしても跳ね返りを効果的に防止することができ、しかも座った状態での使用感も損なうことのないものである。また、使用者は小便に際し本発明の洋風便器における小便受け部を目標として小便をするだけで、従来気にしていた跳ね返りを気にせずとも最少にすることができ、小便をする際に小便の勢いと方向を調整してでも小便の跳ね返りを少なくしよういうわずらわしさから開放され、ストレスなく小用を足すことが出来る。
前記小便受け部は、跳ね返りの発生を軽減し、従来便器の中のみならずトイレの床や壁にまで飛び散っていた小便が少なくなるため、従来よりも衛生的に優れ且つ掃除の手間をも軽減することができる。
【図面の簡単な説明】
【００１１】
【図１】本発明の洋風便器の１実施形態を示す一部破断斜視図である。
【図２】図１の大便器の上面図である。
【図３】図１に示す洋風便器のＡ−Ａ線断面図である。
【図４】図１の洋風便器の小便受け部の拡大図である。
【図５】図１の洋風便器の使用時における小便受け部の機能を説明する概略図である。
【発明を実施するための形態】
【００１２】
以下、図面を参照して本発明をさらに詳細に説明する。
図１〜３に示す洋風便器１は、便座１０と、便座１０が載置され、上方に開口２１が設けられた便器本体２０とを具備する。便器本体２０は、その下方に、開口２１よりも小径で且つ開口２１における使用者が便座に着座した際に使用者の背面側に位置する基端部２２側に位置し、貯水可能であり、汚物を一時的に収容すると共に水流と共に汚物を廃棄処理できるように形成されている貯水部２５を具備する。また、開口２１と貯水部２５の間には便器流水面２４が、水を流せるように勾配をつけた形で設けられている。これらの構成は従来公知の洋風便器と同様である。
【００１３】
本実施形態においては、便座１０はＯ字状であり、図示しないが便器本体と基端部２２側において蝶番を介して連結されており、上方に開閉自在となされている。
また、便器本体２０の基端部２２の上方には水を貯水しておくタンク２が設けられており、使用時には便器本体内に水を流すことができるようにしている。
また、便器本体２０の開口２１は、図１及び図３に示すようにＯ字状であり、開口２１から貯水部２５にかけて表面が傾斜している。
貯水部２５は、便器本体の基端部２２側に設けられており、図２に示すように通常の便器の排水管構造と同様の排水管構造３０が形成されており、汚物の廃棄時に逆流なく廃棄処理できるようになされている。
便座及び便器本体の形成材料は特に制限されず、通常この種の便器に用いられる材料を特に制限なく用いて形成することができる。
なお、本実施形態の説明において配管は図示しておらず、本実施形態の洋風便器は床上に設置された床置き形である。
【００１４】
そして、本実施形態の洋風便器１において便器本体２０の便器流水面２４には、貯水部２５に隣接して、凹部２７と、凹部２７の底部２７ａに形成され、凹部２７を複数の小凹部２７ｂに区分する一つの凸部２８とからなる小便受け部２６が設けられている。ここで小便受け部２６は便器流水面２４における貯水部２５から先端部２３側にかけて形成されている。
【００１５】
小便受け部２６は、開口２１の先端部２３側から基端部２２側にかけて、先端部２３側を上方とし且つ基端部２２側を下方とする勾配を持つように形成されている。また、凹部２７は、先端部２３側の４角形状の面２７ｃとこの面の１辺から延設された４角形状の２つの側面２７ｄとからなり、貯水部２５側は解放されている。また、本実施形態においては、面２７ｃはほぼ垂直となっているが、側面２７ｄはそれぞれ勾配を有する形状となされている。
また、凸部２８は、断面三角形状であり、その高さが、凹部２７の深さよりも低くなるように形成されており、小便受け部２６の底面が有する勾配と同じか少し緩やかな角度で傾斜を持つように形成されている。
小便受け部の長さは、７〜１８ｃｍとするのが好ましい。
小便受け部２６を構成する凹部２７の幅は、便器本体２０の開口部の幅１００に対して  ２０〜５０（実寸法で７〜１６ｃｍ）とするのが好ましい。
また、その深さは一番浅い部分で０．５〜４ｃｍとし、一番深い部分で６〜１８ｃｍとするのが好ましい。
また、勾配は３５〜６０°の 範囲内とするのが好ましい。すなわち、このような勾配の範囲となるように上記の長さと深さとを選択するのが本発明の所望の効果を発揮する点で好ましい。
また、凸部の幅（断面形状とした場合の底辺部分の長さ）は６〜１５ｃｍとするのが好ましい。高さはもっとも高い個所で５〜１７ｃｍとするのが好ましく、上述のように凹部の深さ以下とするのが本発明の所望の効果を発現する上で好ましい。
【００１６】
小便受け部２６が、上述のように貯水部２５の先端部２３側に位置することにより、男性が小便をする間中に渡って、小便の勢いの変化が著しくても、目標として定めやすく、より尿跳ねを効果的に防止することが可能になる。
【００１７】
また、従来の洋風便器の洗浄と同様に洗浄水による洗浄を行うため小便受け部２６は便器流水面２４の中でも最も貯水部に近い高さとし、低い位置に形成されている。これにより、洗浄水による洗浄を可能としている。
【００１８】
また、上記の形状の凸部２８が設けられていることにより、側部２７ｄと凸部の斜面２８ａとにより小凹部２７ｂが形成されており、側面２７ｄ又は斜面２８ａにあたった小便が対抗する斜面２８ａ又は側面２７ｄに向かって跳ねることとなり、ダイレクトに便器の上方側に向けて跳ね返っていた従来の洋風便器と異なり、緩斜面により衝撃を軽減し小便の向きを変えつつ貯水部側に誘導することができ、小便の跳ね返りを外部へ跳ね返らない程度に軽減することができる。
【００１９】
また、上記の勾配を有することにより、小便の跳ね返り角度をより鈍角とすることができ、上記の凸部２８や側面２７ｄに当たらなかった小便も便器の上方に跳ね返らせることなく、貯水部２５側に誘導することができる。このように凸部の斜面２８ａや側面２７ｄは、互いに近い位置に設けられており且つ共に傾斜していることにより、小便が当たった場合の緩衝面として機能する。
【００２０】
小便受け部２６に落下する小便の流路について図５を参照して説明する。
小便は、凸部２８にあたるか、側面２７ｄにあたるか、底部２７ａにあたることとなる。凸部２８又は側面２７ｄにあたった場合には対向する側面２７ｄ又は凸部２８に当たりながら矢印に示すように貯水部２５に誘導される。また、底部２７ａあたった場合には貯水部側に跳ねて、貯水部２５に誘導される。
【００２１】
小便受け部２６は、従来の便器の設計を一部分のみ変更するだけで構成することができ、便座や便器流水面の構成を変更する必要はない。また、本発明の洋風便器は、便器本体そのものの形態を変更するものであるため、便器の中に特別な部品を配置する必要がなく、部品の落下、脱落等による配水管のつまりなどの原因と成ることも無い。
【００２２】
また、この小便受け部２６は、男性が立ってする小便時のみならず男性、女性を問わず座って用を足す場合にも小便の跳ね返りの発生を最少にすることが出来るため、便器の使用時に使用者の下半身や便座の裏側等に小便が付着することを防ぐ効果もある。
【００２３】
なお、本発明の洋風便器は上述の形態には制限されず、本発明の趣旨を逸脱しない範囲で種々変形可能である。
例えば、便座１０の形状は特に制限されず、Ｕ字状等種々形状とすることができる。
本実施形態においては凸部２８が一つであり小凹部が２つである例を示して説明したが、凸部は２以上で、小凹部３つ以上であってもよい。
【産業上の利用可能性】
【００２４】
本発明の洋風便器は、トイレのリニューアル工事において、従来の節水の他に新たに跳ね返りを減らし衛生的なトイレにすると言う新たな効果をうたうことができるなど、新しい便器として有用である。
【符号の説明】
【００２５】
１  ：洋風便器
２  ：タンク
１０  ：便座
２０  ：便器本体
２１  ：開口
２２  ：基端部
２３  ：先端部
２４  ：洗浄水流路
２５  ：貯水部
２６  ：小便受け部
２７  ：凹部
２８  ：凸部
【図１】
2014152525.tif 000003
【図２】
2014152525.tif 000004
【図３】
2014152525.tif 000005
【図４】
2014152525.tif 000006
【図５】
2014152525.tif 000007
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
便座と、
該便座が載置され、上方に開口が設けられた便器本体とを具備し、
該便器本体は、その下方に、該開口よりも小径で且つ該開口における使用者が便座に着座した際に使用者の背面側に位置する基端部側に位置し、貯水可能であり、汚物を一時的に収容すると共に水流と共に汚物を廃棄処理できるように形成されている貯水部と、上記開口と上記貯水部との間に水を流せるように勾配をつけた形で設けられた便器流水面とを具備する洋風便器において、
上記便器流水面には、上記貯水部に隣接した部位に設けられた凹部からなる小便受け部が設けられており、該凹部は、その底部に形成された少なくともひとつの凸部により複数の小凹部に区分されていることを特徴とする洋風便器。
【請求項２】
上記小便受け部は、上記開口の先端部側から基端部側にかけて、該先端部側を上方とし
且つ該基端部側を下方とする勾配を持つように形成されていることを特徴とする請求項１
記載の洋風便器。
【手続補正２】
【補正対象書類名】図面
【補正対象項目名】全図
【補正方法】変更
【補正の内容】
【図１】
2014152525.tif 000008
【図２】
2014152525.tif 000009
【図３】
2014152525.tif 000010
【図４】
2014152525.tif 000011
【図５】
2014152525.tif 000012
【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
便座と、
該便座が載置され、上方に開口が設けられた便器本体とを具備し、
該便器本体は、その下方に、該開口よりも小径で且つ該開口における使用者が便座に着座した際に使用者の背面側に位置する基端部側に位置し、貯水可能であり、汚物を一時的に収容すると共に水流と共に汚物を廃棄処理できるように形成されている貯水部と、上記開口と上記貯水部との間に水を流せるように勾配をつけた形で設けられた便器流水面とを具備する洋風便器において、
上記便器流水面には、上記貯水部に隣接した部位に設けられた凹部からなる小便受け部が設けられており、
該小便受け部は、上記開口の先端部側から基端部側にかけて、該先端部側を上方とし且つ該基端部側を下方とする勾配を持つように形成されており、
該凹部は、先端部側の４角形状の面とこの面の１辺から延設された４角形状の２つの側面とからなり、その底部に形成された少なくともひとつの凸部により複数の小凹部に区分されており、
該凸部は、断面三角形状であり、その高さが、凹部の深さよりも低くなるように、且つ、該小便受け部の底面が有する勾配と同じか少し緩やかな角度で傾斜を持つように形成され、
上記凸部、上記側面又は上記底部は、それぞれ小便があたるようになされている、
ことを特徴とする洋風便器。
【請求項２】
上記凹部は、その深さが一番浅い部分で０．５〜４ｃｍで且つ、一番深い部分で６〜１８ｃｍであり、その上記側面はそれぞれ勾配を有する形状となされている、
請求項１に記載の洋風便器。